(57)【要約】【課題】  電話機から電話を掛けるだけの簡単な操作によるエレベータの遠隔制御システムを提供することを目的とする。【解決手段】電話機によりエレベータを遠隔制御する個人認証遠隔制御装置を備えるエレベータ遠隔制御システムにおいて、前記個人認証遠隔制御装置は、電話機から電話が掛かってきたことを検出する呼出検出部と、発信者電話番号と予め登録したエレベータ制御を許可する電話番号が一致すると制御内容登録部に予め登録されている登録電話番号に対応するエレベータ制御内容を選択する制御内容選択部と、前記制御選択部により選択されたエレベータ制御内容をエレベータ制御部に送信する指令送信部と、を備えることを特徴とするエレベータの遠隔制御システム。【選択図】図２
2006027813.tif 000002
【特許請求の範囲】
【請求項１】
公衆通信回線を介して電話機によりエレベータを遠隔制御する個人認証遠隔制御装置を備えるエレベータ遠隔制御システムにおいて、前記個人認証遠隔制御装置は、公衆通信回線である電話回線と接続され、電話機からエレベータ制御用電話番号の電話回線に電話が掛かってきたことを検出する呼出検出部と、エレベータ制御を許可する電話番号を予め登録する番号登録部と、前記呼出検出部により検出され掛かってきた電話の発信者電話番号と前記番号登録部に登録されている登録電話番号とを比較する比較部と、前記登録電話番号に対応するエレベータ制御内容を予め登録する制御内容登録部と、前記比較部により前記発信者電話番号と前記登録電話番号が一致すると判定すると前記制御内容登録部に登録されている登録電話番号に対応するエレベータ制御内容を選択する制御内容選択部と、前記制御内容選択部により選択されたエレベータ制御内容をエレベータ制御部に送信する指令送信部と、を備えることを特徴とするエレベータの遠隔制御システム。
【請求項２】
公衆通信回線を介して電話機によりエレベータを遠隔制御する個人認証遠隔制御装置を備えたエレベータ遠隔制御システムにおいて、前記個人認証遠隔制御装置は、複数の異なる電話番号の公衆通信回線である電話回線と接続され、電話機からエレベータ制御用の前記複数の異なる電話番号の電話回線のうち、いずれかの電話番号の電話回線に電話が掛かってきたかを検出する呼出検出部と、エレベータ制御を許可する電話番号を予め登録する番号登録部と、前記呼出検出部により検出され掛かってきた電話回線の電話の発信者電話番号と前記番号登録部に登録されている登録電話番号とを比較する比較部と、前記登録電話番号に対応するエレベータ制御内容とエレベータ制御用の複数の異なる電話番号の電話回線のそれぞれに対応するエレベータ制御項目内容とを組み合せた組合せエレベータ制御内容を予め登録する制御内容登録部と、前記比較部により前記発信者電話番号と前記登録電話番号とが一致すると判定すると前記呼出検出部により検出した前記エレベータ制御用の電話番号の電話回線に応じて前記制御内容登録部に登録されている前記組合せエレベータ制御内容を選択する制御内容選択部と、前記制御内容選択部により選択されたエレベータ制御内容をエレベータ制御部に送信する指令送信部と、を備えることを特徴とするエレベータの遠隔制御システム。
【発明の詳細な説明】
【技術分野】
【０００１】
本発明は，電話機を用いて個人認証を行うと共に、エレベータの遠隔制御をするシステムに関する。
【背景技術】
【０００２】
従来のエレベータの遠隔制御システムとして、特開２００２-６０１５２号公報に掲載されているように，ネットワークに接続されているコンテンツサーバーにエレベータの遠隔制御を行うための複数の操作画面を登録しておき、遠隔操作の際、移動体電話機によってコンテンツサーバーにアクセスし、必要な遠隔操作画面プログラムをダウンロードしてディスプレイに表示し、画面指示に従ってボタン操作することによって所望の操作指令を入力するようにしたものが知られている。
【０００３】
また、特開２００４-５９２９７号公報に掲載されているように、個人携帯端末を用いて、エレベータを利用する毎に利用者の乗車階／降車階情報を入力し、入力された乗車階／降車階情報に基づいてエレベータを制御するようにしたシステムが知られている。
【０００４】
また，エレベータの個人認証システムとして，特開２００２-３２６７７０号公報に掲載されているように，建物の居住者が玄関にて指紋検出器で指紋を入力すると、玄関階の乗場呼びを自動登録し、かごが玄関階に到着すると指紋に対応する居室階の行先呼びを自動登録するようにしたシステムが知られている
【０００５】
【特許文献１】特開２００２-６０１５２号公報
【特許文献２】特開２００４-５９２９７号公報
【特許文献２】特開２００２-３２６７７０号公報
【発明の開示】
【発明が解決しようとする課題】
【０００６】
従来のエレベータの遠隔制御システムは、エレベータを制御するための画面を携帯端末に表示するためにコンテンツサーバー等を設置し、制御する手段もその画面上に必要な情報を入力してサーバー経由でエレベータに送信するといった，コスト、手間（操作）及び時間も掛かるものであった。
また、従来のエレベータの個人認証システムは，指紋認証などの生体認証やＩＣカード等を用いた方法が一般的であるが，生体認証においてはそのシステムが高価であり、ＩＣカードにおいても個人認証を必要とする箇所全てに読取り装置を設置する必要があり，装置の設置や配線にコストが掛かるといった課題がある。
【０００７】
本発明は、エレベータの遠隔制御や個人認証を、既に個人が所持又は使用している携帯電話や固定電話等の電話番号により判別し、特定するため、新たに個人を特定する機器を所持又は使用しなくてもよく、また、エレベータを制御するのに予め決められた電話番号に電話をするだけで済むため、操作の場所も選ばず、また、電話番号という特定の情報を個人認証手段としているため、防犯性にも優れた操作容易なエレベータの遠隔制御システムを提供することを目的とする。
【課題を解決するための手段】
【０００８】
上記の課題を解決するために、本願の請求項１記載の発明は、公衆通信回線を介して電話機によりエレベータを遠隔制御する個人認証遠隔制御装置を備えるエレベータ遠隔制御システムにおいて、前記個人認証遠隔制御装置は、公衆通信回線である電話回線と接続され、電話機からエレベータ制御用電話番号の電話回線に電話が掛かってきたことを検出する呼出検出部と、エレベータ制御を許可する電話番号を予め登録する番号登録部と、前記呼出検出部により検出され掛かってきた電話の発信者電話番号と前記番号登録部に登録されている登録電話番号とを比較する比較部と、前記登録電話番号に対応するエレベータ制御内容を予め登録する制御内容登録部と、前記比較部により前記発信者電話番号と前記登録電話番号が一致すると判定すると前記制御内容登録部に登録されている登録電話番号に対応するエレベータ制御内容を選択する制御内容選択部と、前記制御内容選択部により選択されたエレベータ制御内容をエレベータ制御部に送信する指令送信部と、を備えることを特徴とする。
【０００９】
また、本願の請求項２記載の発明は、公衆通信回線を介して電話機によりエレベータを遠隔制御する個人認証遠隔制御装置を備えたエレベータ遠隔制御システムにおいて、前記個人認証遠隔制御装置は、複数の異なる電話番号の公衆通信回線である電話回線と接続され、電話機からエレベータ制御用の前記複数の異なる電話番号の電話回線のうち、いずれかの電話番号の電話回線に電話が掛かってきたかを検出する呼出検出部と、エレベータ制御を許可する電話番号を予め登録する番号登録部と、前記呼出検出部により検出され掛かってきた電話回線の電話の発信者電話番号と前記番号登録部に登録されている登録電話番号とを比較する比較部と、前記登録電話番号に対応するエレベータ制御内容とエレベータ制御用の複数の異なる電話番号の電話回線のそれぞれに対応するエレベータ制御項目内容とを組み合せた組合せエレベータ制御内容を予め登録する制御内容登録部と、前記比較部により前記発信者電話番号と前記登録電話番号とが一致すると判定すると前記呼出検出部により検出した前記エレベータ制御用の電話番号の電話回線に応じて前記制御内容登録部に登録されている前記組合せエレベータ制御内容を選択する制御内容選択部と、前記制御内容選択部により選択されたエレベータ制御内容をエレベータ制御部に送信する指令送信部と、を備えることを特徴とする。
【発明の効果】
【００１０】
本発明によれば，既に個人が所持している携帯電話や固定電話から電話を掛けるだけで、個人認証を行うと共にエレベータの遠隔制御を行うことができる。即ち、新たに個人を特定する別の機器を必要とせずに個人認証を行うことができ、また，エレベータ制御用電話番号の電話回線を呼出すのみで、会話をする必要、画面を見る必要、その他の操作ボタンを操作する必要が無く、その後の制御情報を入力することが不要な操作容易なエレベータの制御ができる。
【発明を実施するための最良の形態】
【００１１】
次に本発明に係るエレベータの遠隔制御システムの実施形態を図面に基づき説明する。
図１は，本発明の一実施例であるエレベータの遠隔制御システムの構成を示す図である。
図２は、本発明の一実施例であるエレベータを制御する個人認証遠隔制御装置の内部構成を示す図である。
図３から図５は、本発明の一実施例であるエレベータ制御用電話番号に対応するエレベータ制御内容項目とエレベータ制御を許可された発信者の発信電話番号の組合せによるエレベータ制御項目とのマトリクスを示した概念図である。
【００１２】
図１において、10はエレベータ制御盤、11は乗りかご、12は乗りかご１１と釣り合いを図る釣り合い錘、13は電動機で，エレベータ制御盤10と乗りかご11は電源線及び通信線及び信号線を含む複合線102にて接続されており、エレベータ制御盤10と電動機13は電源線103で接続されている。乗りかご１１は、釣り合い錘１２とロープで結合されており、ロープは、電動機１３により巻き上げられる。
【００１３】
また，20は個人認証遠隔制御装置で，公衆通信回線（公衆回線）即ち、電話回線網のエレベータ制御用電話回線201〜20nと接続されている。エレベータ制御盤10と個人認証遠隔制御装置20は通信線または信号線241にて接続されている。
また，301，302は携帯電話で、303は居室設置の固定電話であり、携帯電話301，302，または固定電話303から公衆通信回線を介してエレベータ制御用電話番号の電話回線201〜20n（図２）を呼出すことでエレベータを制御する。
【００１４】
図２は、本発明の一実施例であるエレベータを制御する個人認証遠隔制御装置の内部構成を示す図である。
図２において，個人認証遠隔制御装置20内部には，次のものを備えている。
即ち、携帯電話又は固定電話等の電話機から公衆通信回線（公衆回線）を介してエレベータ制御用電話番号の電話回線201〜20nのいずれに電話が掛かって来たかを電話回線の電圧の変化により検出する呼出検出部211〜21nと，エレベータの制御を許可する複数の携帯電話又は固定電話等の電話機の各電話番号を予め登録（記憶）しておく番号登録部２２１と、前記検出部211〜21nにて検出された電話の当該電話機の発信者電話番号（電話会社から自動送信される）と番号登録部２２１に登録されている各登録電話番号とを比較する比較部22と，前記登録電話番号に対応するエレベータ制御内容とエレベータ制御用の複数の異なる電話番号の電話回線のそれぞれに対応するエレベータ制御項目内用とを組み合わせた組合せエレベータ制御内容を予め登録する制御内容登録部２３１と、この比較部２２により前記発信者電話番号と前記登録電話番号とが一致すると判定すると前記呼出検出部２１１〜２１nにより検出した前記エレベータ制御用の電話番号の電話回線に応じて前記制御内容登録部２３１に登録されている前記組合せエレベータ制御内容を選択する制御内容選択部２３と、この制御内容選択部２３により選択されたエレベータ制御内容をエレベータ制御部に送信する指令送信部２４と、を備えている。
【００１５】
この指令送信部24はエレベータ制御盤10内のエレベータ制御部14と通信線または信号線241にて接続されており，予め登録されたエレベータの制御を許可する電話番号の携帯電話または固定電話からエレベータ制御用電話番号の電話回線201〜20nのどれか一つを呼出すことにより，個人認証遠隔制御装置20がエレベータ制御指令をエレベータ制御部14に送信する。
【００１６】
図３から５図は、エレベータ制御用電話番号の電話回線201〜20nのそれぞれに対応するエレベータ制御項目内容と、エレベータを制御することを許可された前記個人認証遠隔制御装置20内部の番号登録部２２１に登録された電話番号（発信電話番号）に対応するエレベータ制御内容と、の組合せエレベータ制御内容の例を記載したエレベータ制御項目マトリクス401〜40nである。
【００１７】
次に上記実施形態の動作を，図面に基づき説明する。
電話機により、個人認証を行うと共に、エレベータを遠隔制御は、次のとおり行われる。
エレベータ制御専用の制御用の電話番号の電話回線２０１と接続されている個人認証遠隔制御装置２０に電話機により電話を掛けると、個人認証遠隔制御装置２０内の呼出検出部２１１は、電話回線２０１の電圧変化を検知し、電話回線２０１が呼び出されていることを検出する。
その際，電話会社の交換機が公衆通信回線を介して自動的に送信してくる発信者電話番号を受信し、その発信者電話番号と番号登録部２２１に予め登録してあるエレベータの制御を許可する電話番号とを比較部２２により比較する。
これらの電話番号を比較した結果、一致しなかった場合は何もせず終了し，一致した場合はエレベータ制御内容を選択する制御内容選択部23により，前記発信者電話番号と前記電話回線201に対応するエレベータ制御内容を制御内容登録部２３１から選択する。
【００１８】
前記制御内容選択部23にて選択された制御内容はエレベータ制御指令送信部24により、通信線または信号線241を介してエレベータ制御盤10内のエレベータ制御部14に送信される。前記エレベータ制御部14はその制御内容により，必要に応じて電源線、通信線及び信号線を含む複合線102を介して乗りかご11や，電源線103を介して電動機13を制御する。
【００１９】
次に，１階に共同玄関が設置されているマンション等の集合住宅を例に挙げ，図１の携帯電話301の所持者Ａが３階住人で電話番号を「０９０−１２３４−５６７８」，携帯電話302の所持者Ｂが５階住人で電話番号を「０９０−８７６５−４３２１」，居室固定電話303の所持者Ｃが６階住人で電話番号を「０３−１３５７−２４６８」とする（図３、図４及び図５参照）。
【００２０】
そして、図３におけるエレベータ制御用電話番号の電話回線201の制御項目内容のマトリクスにおいて、エレ制御項目のエレ制御11を「１階乗り場の上向き呼び登録」、エレ制御13を「３階かご呼び登録」、エレ制御15を「５階かご呼び登録」、エレ制御16を「６階かご呼び登録」、エレ制御17を「かごドア開時間延長」、エレ制御18を「かご呼び登録階までの直行運転」と設定する。
【００２１】
そして、図４におけるエレベータ制御用電話番号の電話回線202の制御項目マトリクスにおいて，エレ制御項目内容のエレ制御22を「３階乗り場下向き呼び登録」、エレ制御24を「５階乗り場の下向き呼び登録」、エレ制御25を「６階乗り場下向き呼び登録」、エレ制御26を「１階かご呼び登録」と設定する。この場合において，前記３階の住人Ａが１階乗り場付近から所持する携帯電話301で前記電話回線201に電話を掛けると、個人認証遠隔制御装置20内にて携帯電話301の発信者電話番号と前記電話回線201から図３の制御項目マトリクスより制御項目2011を選択し、エレベータ制御部14に制御指令を送信する。即ち、エレベータ制御部14は１階乗り場の上向き呼び登録を作成し、１階乗り場にかご11が到着すると、３階かご呼び登録を作成し、一定時間経過後又は住人Ａが、かご11内でドア閉釦を押し、ドア閉じを検出すると３階まで直行運転を行う。
【００２２】
また、前記５階住人Ｂが１階乗り場付近から所持する携帯電話302で前記電話回線201に電話を掛けると、個人認証遠隔制御装置20内にて携帯電話302の発信者電話番号と前記電話回線201から図３の制御項目マトリクスより制御項目2012を選択し、エレベータ制御部14に制御指令を送信する。即ち、エレベータ制御部14は１階乗り場の上向き呼び登録を作成し、１階乗り場にかご11が到着すると、５階かご呼び登録を作成し、一定時間経過後または住人Ｂがかご11内でドア閉釦を押しドア閉じを検出すると、かご11は５階に走行し、５階に到着した際にドアが開く時間を予め設定された通常より長い時間の間ドアを開き続ける。
【００２３】
また、前記住人Ｃが玄関から来訪者を迎え入れる場合、居室から固定電話303で前記電話回線201に電話を掛けると、個人認証遠隔制御装置20内にて固定電話303の発信者電話番号と前記電話回線201から図３の制御項目マトリクスより制御項目2013を選択し、エレベータ制御部14に制御指令を送信する。エレベータ制御部14は１階乗り場の上向き呼び登録を作成し、１階乗り場にかご11が到着すると、６階かご呼び登録を作成し、一定時間経過後又は来訪者がかご11内でドア閉釦を押しドア閉じを検出すると、かご11は６階に向け走行する。
【００２４】
また、前記３階の住人Ａが、３階乗り場付近から所持する携帯電話301で前記電話回線202に電話を掛けると、個人認証遠隔制御装置20内にて携帯電話301の発信者電話番号と前記電話回線202から図４の制御項目マトリクスより制御項目2021を選択し，エレベータ制御部14に制御指令を送信する。エレベータ制御部14は３階乗り場の下向き呼び登録を作成し、３階乗り場にかご11が到着すると、１階かご呼び登録を作成し、一定時間経過後又は住人Ａがかご11内でドア閉釦を押しドア閉じを検出すると１階に向け走行する。
【００２５】
また、前記５階の住人Ｂが５階乗り場付近から所持する携帯電話302で前記電話回線202に電話を掛けると、個人認証遠隔制御装置20内にて携帯電話302の発信者電話番号と前記電話回線202から図４の制御項目マトリクスより制御項目2022を選択し、エレベータ制御部14に制御指令を送信する。エレベータ制御部14は５階乗り場の下向き呼び登録を作成し，５階乗り場にかご11が到着すると、１階かご呼び登録を作成し，一定時間経過後又は住人Ｂがかご11内でドア閉釦を押しドア閉じを検出すると１階に向け走行する。
【００２６】
また、前記６階の住人Ｃが居室からの来訪者の帰宅に対応する場合、居室から固定電話303で前記電話回線202に電話を掛けると、個人認証遠隔制御装置20内にて固定電話303の発信者電話番号と前記電話回線202から図４の制御項目マトリクスより制御項目2023を選択し、エレベータ制御部14に制御指令を送信する。エレベータ制御部14は６階乗り場の下向き呼び登録を作成し、６階乗り場にかご11が到着すると，１階かご呼び登録を作成し、一定時間経過後又は来訪者がかご11内でドア閉釦を押しドア閉じを検出するとかご11は１階に向け走行する。
【００２７】
また，予め登録しておくエレベータ制御項目内容に特に制限はない。図５は、エレベータ制御項目を拡張した場合のマトリックスを示す概念図である。更に、例えば，通常、かご呼びや乗り場呼びを切離して使用不可の状態にしておき，許可された電話番号の電話機から既定のエレベータ制御用電話回線を呼出した場合のみ，前記の通常は切離されたかご呼びや乗り場呼びを一定時間使用可能とするなどの用途にも適用可能である。
【図面の簡単な説明】
【００２８】
【図１】本発明の一実施例によるエレベータの遠隔制御システムの装置構成を示す図である。
【図２】本発明の一実施例によるエレベータの遠隔制御システムの個人認証遠隔制御装置を示す図である。
【図３】本発明の一実施例によるエレベータの遠隔制御システムの制御項目マトリクスを示す概念図である。
【図４】本発明の他の実施例によるエレベータの遠隔制御システムの制御項目マトリクスを示す概念図である。
【図５】本発明の他の実施例によるエレベータの遠隔制御システムの制御項目マトリクスを示す概念図である。
【符号の説明】
【００２９】
１０…エレベータ制御盤、１１…乗りかご、１２…釣り合い錘、１３…電動機、
１４…エレベータ制御部、２０…個人認証遠隔制御装置、２２…比較部、
２３…制御内容選択部、２４…指令送信部、
１０２…電源線、通信線及び信号線を含む複合線、
１０３…電源線、２０１〜２０ｎ…エレベータ制御用電話回線、
２１１〜２１ｎ…呼出検出部、３０１携帯電話，３０２…携帯電話、
３０３…固定電話、２２１…番号登録部、２３１…制御内容登録部、
２４１…通信線又は信号線、３０１…携帯電話，３０２…携帯電話、
３０３…固定電話、４０１〜４０ｎ…エレベータ制御項目マトリクス、
2011，2012，2013，2021，2022，2023…制御内容記録部から選択された各制御内容
【図１】
2006027813.tif 000003
【図２】
2006027813.tif 000004
【図３】
2006027813.tif 000005
【図４】
2006027813.tif 000006
【図５】
2006027813.tif 000007